(57)【要約】【課題】ユーザが危険と感じた移動体を自動運転システムが検出しているか否かを通知することができるようにする。【解決手段】ロケータ装置３は、運転者が認識している状況を示す移動体確認指示を音声入力することで、走行軌道管理装置４がセンシング範囲内の注目エリアで認識している移動体を運転者に音声通知する。これにより、運転者は、自動運転システム２が検出している移動体の存在を確認でき、安心して自動運転を継続することができる。【選択図】図１
2018013915.tif 000002
【特許請求の範囲】
【請求項１】
自動運転システム（２）が認識した移動体の存在をユーザに通知する運転支援装置であって、
ユーザによる発言を音声認識する音声認識部（８ａ）と、
前記音声認識部による音声認識結果が移動体を確認することを指示する移動体確認指示であった場合は、前記自動運転システムのセンシング範囲内においてユーザが注目する注目エリアを設定する注目エリア設定部（２４ａ）と、
前記注目エリアに位置する移動体を検出する移動体検出部（２４ｂ）と、
前記移動体検出部が移動体を検出した場合は、当該移動体の存在をユーザに通知する移動体通知部（８ｃ）と、
を備えた運転支援装置。
【請求項２】
ユーザの視線方向を判定する視線方向判定部（８ｂ）を備え、
前記注目エリア設定部は、前記視線方向判定部が判定したユーザの視線方向に基づいて前記注目エリアを設定する請求項１に記載の運転支援装置。
【請求項３】
前記注目エリア設定部は、前記移動体確認指示に含まれる注目方向に基づいて前記注目エリアを設定する請求項１に記載の運転支援装置。
【請求項４】
前記移動体確認指示は、移動体の種類を含む請求項１から３のいずれか一項に記載の運転支援装置。
【請求項５】
前記移動体確認指示は、移動体の台数を含む請求項４に記載の運転支援装置。
【請求項６】
自動運転システムが認識した移動体の存在をユーザに通知する運転支援プログラムであって、
ユーザによる発言を音声認識する手順と、
音声認識結果が移動体を確認することを指示する移動体確認指示であった場合は、前記自動運転システムのセンシング範囲内においてユーザが注目する注目エリアを設定する手順と、
前記注目エリアに位置する移動体を検出する手順と、
移動体を検出した場合は、当該移動体の存在をユーザに通知する手順と、
を実行する運転支援プログラム。
【発明の詳細な説明】
【技術分野】
【０００１】
本発明は、運転支援装置及び運転支援プログラムに関する。
【背景技術】
【０００２】
自動運転システムを備えた自動運転車両は、周辺監視を実施しながら危険を検出して自動回避する機能を備え、運転者が関与せずに自動運転制御を実現する。その反面、運転者は自動運転システムの周辺監視による危険の検出を完全に信用せず、自動運転システムが確実に危険を検出できていることを疑っている。このため、運転者は、自動運転制御で回避可能な状態下であっても、運転者が危険を察するタイミング（感覚）でブレーキすることで自動運転制御を解除してしまい、自動運転に対してストレスを感じてしまう。
【先行技術文献】
【特許文献】
【０００３】
【特許文献１】特開２０１１−１９８２４７号公報
【特許文献２】特開２００２−１２０６７６号公報
【発明の概要】
【発明が解決しようとする課題】
【０００４】
このような事情に対して、特許文献１では、車両側が主体となった危険警告を提案している。例えば、運転者の注視（視線）方向を検出して、注視方向以外の危険が発生したことを運転者に警告することや、車両が周辺監視により対象物（歩行者や自転車などの移動物体、障害物など）を検出している状態を、車両内のディスプレイへカメラから入手した映像を利用して、検出している対象をマーキングするなど、視覚的に常時表示する手法を提案している（特許文献２参照）。
【０００５】
しかしながら、運転者は、検出している対象が常時表示されていることでストレスを感じることや、また、車両が検出している対象物を認識するには、ディスプレイを目視する必要があり、運転者が直感的に危険を察知するのに適切ではない問題がある。また、危険検出は、装置側が主体となっており、装置側の危険検出精度や距離範囲、死角、さらに誤動作などの危険性を常に持ち合わせており、運転者は自動運転中に常に不安を感じている。
【０００６】
本発明は上記事情に鑑みてなされたもので、その目的は、ユーザが危険と感じた移動体を自動運転システムが検出しているか否かを通知することができる自動運転支援装置及び自動運転支援プログラムを提供することにある。
【課題を解決するための手段】
【０００７】
請求項１の発明によれば、ユーザが移動体確認指示を発言すると、音声認識部（８ａ）が移動体確認指示を音声認識するので、注目エリア設定部（２４ａ）が自動運転システム（２）のセンシング範囲内においてユーザが注目する注目エリアを設定する。そして、移動体検出部（２４ｂ）が注目エリアに位置する移動体を検出した場合は、移動体通知部（８ｃ）が当該移動体の存在をユーザに通知する。これにより、ユーザは、自動運転システムが危険な移動体を検出したことを確認することができるので、安心して自動運転システム（２）による自動運転を継続することができる。
【図面の簡単な説明】
【０００８】
【図１】一実施形態における全体のシステムを示す機能ブロック図
【図２】運転者からの視界を示す図
【図３Ａ】自動運転システムが車を検出するまでの過程を示す図（その１）
【図３Ｂ】自動運転システムが車を検出するまでの過程を示す図（その２）
【図３Ｃ】自動運転システムが車を検出するまでの過程を示す図（その３）
【図４Ａ】自動運転システムが車を検出できなかった過程を示す図（その１）
【図４Ｂ】自動運転システムが車を検出できなかった過程を示す図（その２）
【図４Ｃ】自動運転システムが車を検出できなかった過程を示す図（その３）
【図４Ｄ】自動運転システムが車を検出できなかった過程を示す図（その４）
【図５Ａ】自動運転システムが２台の車を検出するまでの過程を示す図（その１）
【図５Ｂ】自動運転システムが２台の車を検出するまでの過程を示す図（その２）
【図５Ｃ】自動運転システムが２台の車を検出するまでの過程を示す図（その３）
【図６Ａ】自動運転システムがオートバイを検出するまでの過程を示す図（その１）
【図６Ｂ】自動運転システムがオートバイを検出するまでの過程を示す図（その２）
【図６Ｃ】自動運転システムがオートバイを検出するまでの過程を示す図（その３）
【図７Ａ】自動運転システムがオートバイを検出できなかった過程を示す図（その１）
【図７Ｂ】自動運転システムがオートバイを検出できなかった過程を示す図（その２）
【図７Ｃ】自動運転システムがオートバイを検出できなかった過程を示す図（その３）
【図８】音声認識処理を示すフローチャート
【図９】視線方向検出処理を示すフローチャート
【図１０】移動体通知処理を示すフローチャート
【図１１】注目エリア設定処理を示すフローチャート
【図１２】移動体検出処理を示すフローチャート
【発明を実施するための形態】
【０００９】
以下、一実施形態について図面を参照して説明する。
全体のシステムは、図１に示すように、ナビゲーション装置１と自動運転システム２とを組み合わせて構成されている。自動運転システム２は、ロケータ装置３（運転支援装置に相当）と、走行軌道管理装置４と、車両運動制御装置５とから構成されている。
【００１０】
ナビゲーション装置１は、ＧＰＳ衛星から放射されてＧＰＳインダッシュアンテナ６に捕捉されたＧＰＳ電波を受信処理し、ＧＰＳ信号から抽出した各種パラメータを演算して自車両の現在位置を自車両位置として特定する機能を有する。又、ナビゲーション装置１は、自車両位置、目的地、自車両位置から目的地までの経路、到着予定時刻などの各種のナビゲーション情報をロケータ装置３に出力する。又、ナビゲーション装置１は、表示指令信号や音声出力指令信号をＨＭＩ装置７に出力する。
【００１１】
ＨＭＩ装置７は、ディスプレイやスピーカなどである。ＨＭＩ装置７は、ナビゲーション装置１から表示指令信号を入力すると、その表示指令信号にしたがって警告や経路案内などの表示情報をディスプレイに表示する。又、ＨＭＩ装置７は、ナビゲーション装置１から音声出力指令信号を入力すると、その音声出力指令信号にしたがって警告や経路案内などの音声情報をスピーカから音声出力する。
【００１２】
ロケータ装置３は、制御部８と、ＧＰＳ受信機９と、ジャイロセンサ１０、Ｇセンサ１１と、道路ネットワークデータ格納部１２と、詳細地図データ格納部１３とを有する。ＧＰＳ受信機９は、ＧＰＳ衛星から放射されてＧＰＳルーフアンテナ１４に捕捉されたＧＰＳ電波を受信処理し、ＧＰＳ信号から抽出した各種パラメータを演算して自車両の現在位置を自車両位置として特定し、その特定した自車両位置を示す位置信号を制御部８に出力する。
【００１３】
ジャイロセンサ１０は、自車両に作用する角速度を検出し、その検出した角速度を示す角速度信号を制御部８に出力する。Ｇセンサ１１は、自車両に作用する加速度を検出し、その検出した加速度を示す加速度信号を制御部８に出力する。
【００１４】
道路ネットワークデータ格納部１２は、道路ネットワークデータを格納しており、道路ネットワークデータを制御部８に出力する。道路ネットワークデータとは、道路の形状、道路の位置、複数の道路間の接続、道路を構成する車線に関する情報などを示す地図情報である。
【００１５】
詳細地図データ格納部１３は、詳細地図データを格納しており、詳細地図データを制御部８に出力する。詳細地図データとは、道路を構成する車線の数、車線の幅、車線を区分するドットラインの位置や種類、車線の増減、車線間の接続関係、車線間の車両移動の可否などを含む地図情報である。
【００１６】
制御部８は、ＧＰＳ受信機９から入力した位置信号により示される自車両位置を、ジャイロセンサ１０から入力する角速度信号により示される角速度やＧセンサ１１から入力する加速度信号により示される加速度で補正する。尚、ロケータ装置３は、ナビゲーション装置１よりも高い精度で自車両位置を特定可能である。
【００１７】
舵角センサ１５は、ハンドルの操舵角を検出し、その検出したハンドルの操舵角を示す舵角信号を走行軌道管理装置４に出力する。アクセルセンサ１６は、アクセルの操作量を検出し、その検出したアクセルの操作量を示すアクセル信号を走行軌道管理装置４に出力する。ブレーキセンサ１７は、ブレーキの操作量を検出し、その検出したブレーキの操作量を示すブレーキ信号を走行軌道管理装置４に出力する。
【００１８】
車両前方カメラ１８は、自車両の前方を撮影し、その撮影した映像を含む映像信号を走行軌道管理装置４に出力する。車両前方カメラ１８は、例えばＣＣＤメージセンサやＣＭＯＳイメージセンサなどであり、単数であっても良いし複数であっても良い。ミリ波レーダ１９は、ミリ波を自車両の前方に送信し、反射波の受信状態により自車両の前方において物体（例えば先行車両）の存在を検出し、その検出結果を示す検出信号を走行軌道管理装置４に出力する。レーザレーダ２０は、レーザ光を自車両の前方に送信し、反射波の受信状態により自車両の前方において物体の存在を検出し、その検出結果を示す検出信号を走行軌道管理装置４に出力する。ミリ波レーダ１９やレーザレーダ２０も単数であっても良いし複数であっても良い。
【００１９】
運転者撮影カメラ２１は、運転者が運転席に座って車両前方を向いた状態で運転者の顔を撮影し、その撮影した映像を含む映像信号をロケータ装置３に出力する。運転者撮影カメラ２１は、ＣＣＤ（Charge Coupled Device）イメージセンサやＣＭＯＳ（Complementary Metal Oxide Semiconductor）イメージセンサなどであり、単数であっても良いし複数であっても良い。
【００２０】
マイク２２は、集音した音声を示す集音信号をロケータ装置３に出力する。
スピーカ２３は、ロケータ装置３からの音声信号を音声として発生する。
走行軌道管理装置４は、舵角センサ１５から入力する舵角信号、アクセルセンサ１６から入力するアクセル信号、ブレーキセンサ１７から入力するブレーキ信号、車両前方カメラ１８から入力する映像信号、ミリ波レーダ１９から入力する検出信号、レーザレーダ２０から入力する検出信号を用い、自車両が走行する走行軌道を特定する。
【００２１】
車両運動制御装置５は、走行軌道管理装置４から走行軌道情報を入力すると、自車両が走行軌道情報により示される走行軌道にしたがって走行するように自車両の運動を制御する。
【００２２】
ロケータ装置３の制御部８は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成されている。制御部８は、非遷移的実体的記録媒体に格納されているコンピュータプログラムを実行することで、コンピュータプログラムに対応する処理を実行し、ロケータ装置３の動作全般を制御する。
【００２３】
制御部８は、通常の機能に加えて、音声認識部８ａと、視線方向判定部８ｂと、移動体通知部８ｃとを有する。これらの各部８ａ〜８ｃは制御部８が実行するプログラムにより構成されており、ソフトウェアにより実現されている。
【００２４】
音声認識部８ａは、マイク２２から入力する音声信号を用い、運転者が発生した音声を音声認識する。視線方向判定部８ｂは、運転者撮影カメラ２１から入力した映像信号を用い、運転者の頭や眼球の動きを解析して運転者の視線方向を判定して走行軌道管理装置４に通知する。移動体通知部８ｃは、後述するように走行軌道管理装置４が検出した移動体の存在をスピーカ２３から音声で発生する。
【００２５】
走行軌道管理装置４の制御部２４は、通常の機能に加えて、注目エリア設定部２４ａと、移動体検出部２４ｂとを有する。これらの各部は制御部が実行するプログラムにより構成されており、ソフトウェアにより実現されている。
【００２６】
注目エリア設定部２４ａは、視線方向判定部８ｂが判定した運転者の視線方向を受けてセンシング範囲内に運転者が注目する注目エリアを設定する。移動体検出部２４ｂは、注目エリアに位置する移動体を検出してロケータ装置３に通知する。
【００２７】
さて、自動運転システム２が自動運転を行っている場合は、運転者が運転に関与することはないので、例えば運転者が危険と感じた車両（以下、危険車両）を発見した場合、自動運転システム２が危険車両を検出しているのか不安な心理状態となる。この場合、自動運転システム２が検出した全ての移動体を運転者に通知したのでは、移動体の通知が頻発して煩わしい。尚、危険車両とは、自車両が移動している場合のみばかりでなく、自車両が停車している場合に自車両に向かって移動するような車両も含む。
【００２８】
このような事情から、本実施形態では、自動運転システム２は危険車両のみを検出対象とし、当該危険車両を検出した場合に運転者に危険車両の存在を通知するようにした。
運転者は、図２に示すように、前方に位置する交差点を横断するように進入する１台の危険車両を発見した場合は、当該危険車両を目視しながら、「車１台検出している？」と移動体確認指示を発言する（図３Ａ参照）。
【００２９】
ロケータ装置３は、図８に示す音声認識処理において、マイク２２からの入力を検出した場合は（Ｓ１０１：ＹＥＳ）、運転者の発言内容を音声認識し（Ｓ１０２）、内容を分析することで移動体確認指示であるか（Ｓ１０３：ＮＯ）、移動体確認解除指示であるか（Ｓ１０７：ＮＯ）を判定する。この場合、移動体確認指示であることから（Ｓ１０３：ＹＥＳ）、Ｓｔａｒｔ＝１を設定することで（Ｓ１０４）、移動体確認動作の開始を設定してから、移動体確認指示から検出した移動体の台数ＮをＤｒｉｖｅｒ＝Ｎとして設定（Ｓ１０５）、つまり運転者の認識台数を設定する。そして、Ｓｔａｒｔ＝１の状態では（Ｓ１０６：ＮＯ）、待機状態となる。
【００３０】
尚、「車両」、「自動車」、「乗用車」、「トラック」なども「車」（種類に相当）と同義語として判定し、「検知」、「認識」、「確認」、「発見」なども「検出」と同義語として判定し、「検出か？」や「検出？」などは「検出している？」と同義語として判定する。また、危険車両が１台の場合は「１台」を省略しても良いし、「１台」を省略した場合は、Ｄｒｉｖｅｒ＝１を設定する。
【００３１】
ロケータ装置３は、図９に示す視線方向検出処理において、Ｓｔａｒｔ＝１かを判定しており（Ｓ２０１：ＮＯ）、Ｓｔａｒｔ＝１となった場合は（Ｓ２０１：ＹＥＳ）、周辺センサ情報に基づいて運転者の視線方向を検出する（Ｓ２０２）。
【００３２】
走行軌道管理装置４は、図１１に示す注目エリア設定処理において、Ｓｔａｒｔ＝１となった場合は（Ｓ４０１：ＹＥＳ）、ロケータ装置３が視線方向を検出したかを判定するようになる（Ｓ４０２：ＮＯ）。ロケータ装置３が視線方向を検出した場合は（Ｓ４０２：ＹＥＳ）、視線方向に基づいて注目エリアを設定する（Ｓ４０３）。注目エリアとは、視線方向に基づいて走行軌道管理装置４のセンシング範囲内（図３Ａに破線で示す範囲内）に設定されるエリアのことで、図３Ｂに示すように、視線方向が車両の前方向に対して斜め左方向の場合は、車両の前方向から左方向までの９０度の範囲（図中に斜線で示す）に設定される。同様に、視線方向が車両の前方向に対して斜め右方向の場合は、車両の前方向から右方向までの９０度の範囲に設定される。
【００３３】
走行軌道管理装置４は、図１２に示す移動体検出処理において、Ｓｔａｒｔ＝１となった場合は（Ｓ５０１：ＹＥＳ）、注目エリアが設定されかを判定するようになる（Ｓ５０２：ＮＯ）。上述したようにして注目エリアが設定された場合は（Ｓ５０２：ＹＥＳ）、周辺センサ情報から移動体を検出し（Ｓ５０３）、注目エリアで検出した台数をＳｅｎｓｏｒ＝Ｍとして設定する（Ｓ５０４）。このような台数の設定は、検出した移動体が車か否かを周辺センサ情報に基づいて判定し、車と判定することを条件に行われる。この場合、検出した車の台数が０であるから、Ｓｅｎｓｏｒ＝０を設定する。
【００３４】
ロケータ装置３は、図１０に示す移動体通知処理において、Ｓｔａｒｔ＝１となった場合は（Ｓ３０１：ＹＥＳ）、注目エリアが設定されたかを判定するようになる（Ｓ３０２：ＮＯ）。上述したようにして注目エリアが設定された場合は（Ｓ３０２：ＹＥＳ）、Ｓｅｎｓｏｒ＝Ｍに対する音声通知を実行する（Ｓ３０３）。この場合、Ｓｅｎｓｏｒ＝０であることから、図３Ｂに示すように、音声で「移動体は検出していません」のようにスピーカ２３から発声する。
【００３５】
次にロケータ装置３は、Ｄｒｉｖｅｒ＝Ｓｅｎｓｏｒかを判定する（Ｓ３０４）。つまり、運転者の発言内容と自身の検出している内容が一致するかを判定する。この場合、Ｄｒｉｖｅｒ＝Ｓｅｎｓｏｒではない（Ｓ３０４：ＮＯ）、つまり運転者が車を認識しているのに対して、注目エリアでは車を検出していないことから、注目エリアにおいてＳｅｎｓｏｒが更新されるのを待機する（Ｓ３０５：ＮＯ）。
【００３６】
自車両が進行すると同時に危険車両が進行すると、図３Ｃに示すように、注目エリアに危険車両が位置するようになる。すると、走行軌道管理装置４は、図１２の移動体検出処理において、移動体を検出し（Ｓ５０３）、検出した移動体の検出内容である台数Ｍを１として設定する（Ｓ５０４）。
【００３７】
ロケータ装置３は、図１０の移動体通知処理において、Ｓｅｎｓｏｒ＝１に更新されるので（Ｓ３０５：ＹＥＳ）、Ｓｅｎｓｏｒ＝１に対する音声通知を実行する（Ｓ３０６）。つまり、図３Ｃに示すように、音声にて「移動体１台を検出しました」のようにスピーカ２３から発声する。次に、Ｄｒｉｖｅｒ＝Ｓｅｎｓｏｒとなったことを確認する（Ｓ３０４：ＹＥＳ）、つまり運転者の発言内容とロケータ装置３の検出内容の一致を確認すると、Ｓｔａｒｔ＝０を設定することで（Ｓ３０７）、移動体確認動作を終了する。
【００３８】
以上の動作により、運転者は、自動運転システム２が正常に動作していることを把握でき、ブレーキを回避し、安心して自動運転を継続することができる。
一方、ロケータ装置３は、図１０の移動体通知処理において、更新内容が一致しない場合は（Ｓ３０４：ＮＯ）、継続的に更新内容を通知し続けるが（Ｓ３０６）、図４Ａ〜図４Ｄに示すように、例えば危険車両が建物の陰となって検出できず走行軌道管理装置４３から移動体検出の通知がない場合は、運転者が危険を感じるタイミングで、自発的に危険回避のためにブレーキを掛けるようになる。このような場合、運転者は、「検出終了してください」と発言することで移動体確認動作を終了する。
【００３９】
ロケータ装置３は、図８の音声認識処理において、音声認識結果が移動体確認解除であった場合は（Ｓ１０７：ＹＥＳ）、Ｓｔａｒｔ＝０とし（Ｓ１０８）、移動確認動作を終了する。尚、「検知」、「認識」、「確認」、「発見」なども「検出」と同義語として判定する。また、「停止してください」や単に「終了」、「停止」なども「終了してください」と同義語として判定する。
【００４０】
一方、図５Ａに示すように、注目エリアを設定した際に、注目エリアに既に１台の車が存在する場合は、運転者は、「車２台検出している？」と発言する。この場合、注目エリアに位置する車を１台検出しているので、図５Ｂに示すように、音声で「移動体を１台検出しました」のようにスピーカ２３から発声する。これにより、運転者は、２台の車を認識しているのに、自動運転システム２が１台の車しか検出できてないことから、遠方に位置する１台の車をまだ検出していないことを把握することができる。
そして、図５Ｃに示すように注目エリアにおいて２台の車が検出した状態では、「移動体を２台検出しました」と発声するようになる。
【００４１】
次に図６Ａ〜図６Ｃ、及び図７Ａ〜図７ｃに示すように、危険車両である例えばバイクが同一方向に進行する例を説明する。運転者は、自動運転走行中に、図６Ａに示すように、自車両の前方を走行する前車の陰にバイクが存在することを認識した場合は、バイクを目視しながら、「バイク１台検出している？」と発言する。この場合、走行軌道管理装置４は、バイクを検出していないので、ロケータ装置３は、図６Ｂに示すように、「移動体は検出していません」のようにスピーカ２３から発声する。ロケータ装置３は、運転者の発言内容と自身の検出している内容が異なることを把握し、注目エリアにおいて、検出内容が更新されるのを待ち、検出内容が更新されたら直ちに、図６Ｃに示すように、更新内容を音声にて「移動体１台を検出しました」のようにスピーカ２３から発声する。尚、「オートバイ」、「単車」、「二輪車」なども「バイク」と同義語として判定する。
【００４２】
一方、図７Ｃに示すように、走行軌道管理装置４がオートバイを検出できない場合は、走行軌道管理装置４から移動体検出の通知がないので、運転者が危険を感じるタイミングで自発的に危険回避のため自動運転を解除し、運転者自身の運転に切り替えることができる。
【００４３】
このような実施形態によれば、次のような効果を奏することができる。
ロケータ装置３は、運転者が認識している状況を示す移動体確認指示を音声入力することで、走行軌道管理装置４がセンシング範囲内の注目エリアで認識している移動体を運転者に音声通知するので、運転者は、自動運転システム２が検出している移動体の存在を確認でき、安心して自動運転を継続することができる。この場合、運転者が危険車両に対して危険を感じる領域に達しても、走行軌道管理装置４が対象となる危険車両を検出していない場合には、運転者が主体となって危険を瞬時に察知し、自動運転を解除することで危険を回避することが可能となり、危険回避を適切に自発的に促すことが可能となる。
【００４４】
走行軌道管理装置４は、運転者の視線方向に基づいて注目エリアを設定するので、運転者による特別な操作を必要とすることなく注目エリアを確実に設定することができる。
運転者が認識している状況を示す移動体確認指示に危険車両の種類及び台数を含めるようにしたので、走行軌道管理装置４が危険車両を種類及び台数まで含めて検出したかを確実に確認することができる。
【００４５】
（その他の実施形態）
本発明は、上記実施形態に限定されることなく、次のように変形または拡張したり、各変形例を上記実施形態と組み合せたり、各変形例を組み合わせるようにしても良い。
注目エリアを運転者の視線方向に設定するのに代えて、移動体確認指示に注目方向を含むようにしても良い。例えば危険車両が左前方に位置する場合は、「左前方に車１台検出している？」と移動体確認指示を発言し、「左前方」に対応した方向に注目エリアを設定することを通知する。
【００４６】
注目エリアとして、センシング範囲内における前方向から左方向または右方向の９０度の範囲に設定したが、９０度の範囲に限定されることなく、センシング範囲内における前方向から視線方向までの範囲に設定したり、地図に基づいて移動体の位置を予測し、その位置を含む範囲に設定したり、自動車専用道路で合流する際に自車両に接近する車両の方向に設定したりするようにしても良い。
【００４７】
自動運転システムが運転者による関与が完全にないシステムとして構成されている場合、つまり運転者が存在しない場合は、搭乗しているユーザの視線方向に注目エリアを設定するようにしても良い。
走行軌道管理装置４が有する注目エリア設定部２４ａと移動体検出部２４ｂの機能をロケータ装置３に持たせるようにしても良い。
【００４８】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００４９】
図面中、２は自動運転システム、３はロケータ装置（運転支援装置）、８ａは音声認識部、８ｂは視線方向判定部、８ｃは移動体通知部、２４ａは注目エリア設定部、２４ｂは移動体検出部である。
【図１】
2018013915.tif 000003
【図２】
2018013915.tif 000004
【図３Ａ】
2018013915.tif 000005
【図３Ｂ】
2018013915.tif 000006
【図３Ｃ】
2018013915.tif 000007
【図４Ａ】
2018013915.tif 000008
【図４Ｂ】
2018013915.tif 000009
【図４Ｃ】
2018013915.tif 000010
【図４Ｄ】
2018013915.tif 000011
【図５Ａ】
2018013915.tif 000012
【図５Ｂ】
2018013915.tif 000013
【図５Ｃ】
2018013915.tif 000014
【図６Ａ】
2018013915.tif 000015
【図６Ｂ】
2018013915.tif 000016
【図６Ｃ】
2018013915.tif 000017
【図７Ａ】
2018013915.tif 000018
【図７Ｂ】
2018013915.tif 000019
【図７Ｃ】
2018013915.tif 000020
【図８】
2018013915.tif 000021
【図９】
2018013915.tif 000022
【図１０】
2018013915.tif 000023
【図１１】
2018013915.tif 000024
【図１２】
2018013915.tif 000025